(57)【要約】【課題】ノズル面と被印刷体枚葉紙の間のエアクッション上で被印刷体枚葉紙を支持または案内する装置を、両面刷り印刷機での使用に適したものにする。【解決手段】ノズル面３と被印刷体枚葉紙１の間のエアクッション上で被印刷体枚葉紙１を支持または案内する装置は、エアクッションを生成する、第１の列４に配置された第１のノズル対５と第２の列６に配置された第２のノズル対７を含んでおり、第１のノズル対５と第２のノズル対７では、同一の空気流が各吹出しノズル８から吐き出され、少なくとも大部分が、当該吹出しノズル８と対になった吸込みノズル９によって吸い込まれる。第１のノズル対５の吸込みノズル９は、第２のノズル対７の空気流１０が第１のノズル対５の吸込みノズル９のそばを通って流れるように、第２のノズル対７の吹出しノズル８と吸込みノズル９の間に配置されている。【選択図】図２
2006218866.tif 000002
【特許請求の範囲】
【請求項１】
ノズル面（３）と被印刷体枚葉紙（１）の間のエアクッション（２）上で被印刷体枚葉紙（１）を支持または案内する装置であって、前記エアクッション（２）を生成する、第１の列（４）に配置された第１のノズル対（５）と第２の列（６）に配置された第２のノズル対（７）と、を備え、前記第１のノズル対（５）と前記第２のノズル対（７）は、同一の空気流（１０）が各吹出しノズル（８）から吐き出されて、少なくとも大部分が、当該吹出しノズル（８）と対になった吸込みノズル（９）によって吸い込まれるように対にされた吹出しノズル（８）と吸込みノズル（９）をそれぞれ含んでいる、装置において、
前記第１のノズル対（５）の前記吸込みノズル（９）は、前記第２のノズル対（７）の前記空気流（１０）が前記第１のノズル対（５）の前記吸込みノズル（９）のそばを通って流れるように、前記第２のノズル対（７）の前記吹出しノズル（８）と前記第２のノズル対（７）の前記吸込みノズル（９）の間に配置されていることを特徴とする装置。
【請求項２】
前記第１のノズル対（５）の前記空気流（１０）は前記第２のノズル対（７）の前記空気流（１０）と平行であり、かつ同じ向きに向けられている、請求項１に記載の装置。
【請求項３】
前記第１のノズル対（５）の前記空気流（１０）と前記第２のノズル対（７）の前記空気流（１０）は前記被印刷体枚葉紙（１）の搬送方向（１１）に対して横向きであり、前記被印刷体枚葉紙（１）の側辺（１２）の方に向けられている、請求項１または２に記載の装置。
【請求項４】
前記第１のノズル対（５）と前記第２のノズル対（７）は実質的に市松模様のようにずらされて配置されている、請求項１から３のいずれか１項に記載の装置。
【請求項５】
前記各第１のノズル対（５）と前記各第２のノズル対（７）の前記吹出しノズル（８）と前記吸込みノズル（９）は、空気循環（３４）を形成するように同一の送風機（３１）に接続されている、請求項１から４のいずれか１項に記載の装置。
【請求項６】
前記第１のノズル対（５）と前記第２のノズル対（７）について、前記吸込みノズル（９）は、前記吹出しノズル（８）よりも広いノズル開口断面積（１５）をそれぞれ有している、請求項１から４のいずれか１項に記載の装置。
【請求項７】
前記各吸込みノズル（９）の前記ノズル開口断面積（１５）は、対応する前記吹出しノズル（８）の前記ノズル開口断面積（１５）のほぼ２倍の広さである、請求項６に記載の装置。
【請求項８】
前記エアクッション（２）を生成する、第３の列（１６）に配置された第３のノズル対（１７）、および第４の列（１８）に配置された第４のノズル対（１９）が設けられており、前記第３のノズル対（１７）と前記第４のノズル対（１９）は前記第１のノズル対（５）および前記第２のノズル対（７）に対して鏡像対称に構成され、配置されている、請求項１から７のいずれか１項に記載の装置。
【請求項９】
前記第３のノズル対（１７）の空気流（１０）と前記第４のノズル対（１９）の空気流（１０）が、前記第１のノズル対（５）の前記空気流（１０）および前記第２のノズル対（７）の前記空気流（１０）に対して平行で逆向きに向けられている、請求項８に記載の装置。
【請求項１０】
枚葉紙搬送胴（２１）と、該枚葉紙搬送胴（２１）に付属する枚葉紙案内装置（２２）と、を備える印刷機（２０）において、
前記枚葉紙案内装置（２２）は、請求項１から９のいずれか１項に従って構成されていることを特徴とする印刷機。
【発明の詳細な説明】
【技術分野】
【０００１】
本発明は、請求項１の前提項に記載された、ノズル面と被印刷体枚葉紙の間のエアクッション上で被印刷体枚葉紙を支持または案内する装置であって、エアクッションを生成する、第１の列に配置された第１のノズル対と第２の列に配置された第２のノズル対を備え、第１のノズル対と第２のノズル対は、同一の空気流が各吹出しノズルから吐き出され、少なくとも大部分が、当該吹出しノズルと対になった吸込みノズルによって吸い込まれるように対になった吹出しノズルと吸込みノズルをそれぞれ含んでいる装置に関する。
【背景技術】
【０００２】
特許文献１（その中の特に図３参照）には、このような装置が記載されている。この従来技術の装置では、第１のノズル対の吸込みノズルは、第１のノズル対の空気流が第２のノズル対の吹出し空気ノズルのそばを通って流れないように、第２のノズル対の吹出しノズルの間に配置されている。このような配置のために、被印刷体枚葉紙がノズル面と接触するほど強く第１のノズル対の吸込みノズルによって吸い寄せられる危険性が生じる。このような接触の結果、この装置が両面刷り印刷機に用いられた場合、枚葉紙の裏面に印刷された印刷インキの裏移りが生じることになる。したがって、この装置はこのような用途には不向きである。
【特許文献１】独国特許出願公開第１４７４２１４号明細書
【発明の開示】
【発明が解決しようとする課題】
【０００３】
本発明の目的は、両面刷り印刷機での使用に適した、冒頭に述べた分野の装置を提供することにある。
【課題を解決するための手段】
【０００４】
この目的は、請求項１の特徴を備える装置によって達成される。エアクッションを生成する、第１の列に配置された第１のノズル対と第２の列に配置された第２のノズル対を備え、第１のノズル対と第２のノズル対は、同一の空気流が各吹出しノズルから吐き出されて、少なくとも大部分が当該吹出しノズルと対になった吸込みノズルによって吸い込まれるように対にされた吹出しノズルと吸込みノズルをそれぞれ含んでおり、ノズル面と被印刷体枚葉紙の間のエアクッション上で被印刷体枚葉紙を支持または案内する本発明の装置は、第１のノズル対の吸込みノズルが、第２のノズル対の空気流が第１のノズル対の吸込みノズルのそばを通って流れるように、第２のノズル対の吹出しノズルと第２のノズル対の吸込みノズルの間に配置されていることを特徴としている。
【０００５】
これに応じて、第１のノズル対の各吹出しノズルは、第１のノズル対の各吹出しノズルと対になった吸込みノズルよりも、第２のノズル対の吹出しノズルの近くに位置している。これらの吸込みノズルの吸込み空気流によって被印刷体枚葉紙をノズル面と接触しないように吸い寄せることができるように、被印刷体枚葉紙が、第１のノズル対の吸込みノズルの、直ぐ近くの周囲領域において、第２のノズル対のこれらの吹出しノズルの吹出し空気流によって支持される。したがって、本発明の装置は、特に両面刷り印刷機に良く適している。
【０００６】
各吹出しノズルから吐き出される空気流の全空気量、すなわち全体積流量、またはこの空気量、すなわち体積流量の大部分が、その吹出しノズルと対になった吸込みノズルによって吸い込まれる。
【０００７】
従属請求項には、有利な態様が記載されている。１つの態様では、第１のノズル対の空気流が第２のノズル対の空気流と平行であり、かつ同じ向きに向けられている。
【０００８】
他の態様では、第１のノズル対の空気流と第２のノズル対の空気流は被印刷体枚葉紙の搬送方向に対して横向きであり、被印刷体枚葉紙の側辺の方を向いている。
【０００９】
他の態様では、第１のノズル対と第２のノズル対は実質的に市松模様のように互いにずらされて配置されている。
【００１０】
他の態様では、各第１のノズル対と各第２のノズル対の吹出しノズルと吸込みノズルが、空気循環を形成するように同一の送風機に接続されている。
【００１１】
他の態様では、第１のノズル対と第２のノズル対について、吸込みノズルは吹出しノズルよりも広いノズル開口断面積をそれぞれ有している。
【００１２】
他の態様では、各吸込みノズルのノズル開口断面積は、協働する吹出しノズルのノズル開口断面積のほぼ２倍の広さである。
【００１３】
他の態様では、エアクッションを生成する、第３の列に配置された第３のノズル対、および第４の列に配置された第４のノズル対が設けられており、第３のノズル対と第４のノズル対は第１のノズル対および第２のノズル対に対して鏡像対称に構成され、配置されている。
【００１４】
他の態様では、第３のノズル対の空気流と第４のノズル対の空気流は、第１のノズル対の空気流および第２のノズル対の空気流に対して平行で逆向きに向けられている。
【００１５】
本発明の装置またはその各態様は枚葉紙搬送胴の構成要素であってよく、あるいは枚葉紙搬送胴と並んで配置された枚葉紙案内装置の構成要素であってもよい。前者の場合、複数のノズル対を備えるノズル面は、被印刷体枚葉紙を空気圧によって支持するために、枚葉紙搬送胴にその外套面として配置されている。もう一方の場合、ノズル面は枚葉紙案内装置に形成され、枚葉紙搬送胴によって搬送される被印刷体枚葉紙はノズル面によってこれに沿って案内される。
【発明を実施するための最良の形態】
【００１６】
次に、本発明の実施の形態について図面を参照して説明する。
【００１７】
図１から図８ｂにおいて、互いに対応する構成部分や部材には同じ符号が付されている。
【００１８】
図１は、複数の圧胴２３と枚葉紙搬送胴２１を備える印刷機２０を示している。枚葉紙搬送胴２１は、被印刷体枚葉紙１を一方の圧胴２３から他方の圧胴２３へ渡すために、両圧胴２３の間に配置されている。枚葉紙搬送胴２１の下側には、枚葉紙搬送胴２１によって搬送されている被印刷体枚葉紙１を空気圧によって案内する枚葉紙案内装置２２が配置されている。枚葉紙案内装置２２は、ノズル面３と各被印刷体枚葉紙１の間にエアクッション２を生成するためのノズル面３を有している。エアクッション２によって、ノズル面３と、両面印刷された前述の被印刷体枚葉紙１の間のあらゆる接触が防止される。ノズル面３は、枚葉紙搬送胴２１の回転軸線を中心として周るように湾曲して延びている。すなわち、ノズル面３はカップ状である。
【００１９】
図２はノズル面３の展開図を示している。ノズル面３は、第１の列４を形成している複数の第１のノズル対５と、第２の列６を形成している複数の第２のノズル対７と、第３の列１６を形成している複数の第３のノズル対１７と、第４の列１８を形成している複数の第４のノズル対１９を含んでいる。列４，６，１６，１８は、被印刷体枚葉紙１の、枚葉紙搬送胴２１によって規定される搬送方向１１と平行に延びている。各ノズル対５，７，１７，１９は、空気流１０が吹出しノズル８から吐き出されて吸込みノズル９によって吸い込まれるという具合に協働するように互いに対応させられた吹出しノズル８と吸込みノズル９を含んでいる。第１の列４と第２の列６は、ノズル面３の中心軸線２４に関して、第３の列１６および第４の列１８と鏡像対称に構成されているので、第１および第２の列４，６の空気流１０は、案内される被印刷体枚葉紙１の一方の側辺１２の方に向けられ、第３および第４の列１６，１８の空気流１０は他方の側辺１２の方に向けられている。図において、空気流１０は搬送方向１１に対して直角に横方向に向いている。しかし、空気流１０は、搬送方向１１に対して直角ではない角度で横方向に向いていてもよい。第１の列４の吹出しノズル８と第３の列１６の吹出しノズル８の間には、中心軸線２４に沿って１つの列を形成しており、ノズル面３に対して実質的に直角に向いた穴である他の吹出しノズル２５が配置されている。
【００２０】
図３は、第１のノズル対５と複数の第２のノズル対７から構成されたノズル群を示している。実質的に市松模様状のパターンである、図２に示すノズルパターンは、このような複数のノズル群から構成されている。第１のノズル対５の吹出しノズル８から吐き出される空気流１０は、この空気流１０が第１のノズル対５の吸込みノズル９に流れ込むことができるようになる前に、まず第２のノズル対７の吹出しノズル８の間を通って流れなければならない。第２のノズル対７の吹出しノズル８から吐き出される空気流１０は、この空気流１０が第２のノズル対７の吸込みノズル９に流れ込むことができるようになる前に、まず第１のノズル対５の吸込みノズル９の近くを通って流れなければならない。この際、第２のノズル対７の吹出しノズル８から吐き出される空気流１０は、それぞれ、第１のノズル対５の吸込みノズル９のうちの２つの間を通って、第２のノズル対７の吸込みノズル９へと流れる（図２参照）。第２のノズル対７の吹出しノズル８から吐き出された空気流１０が第１のノズル対５の吸込みノズル９のすぐ近くを通ることによって、被印刷体枚葉紙１が第１のノズル対５の吸込みノズル９によって局所的に過度に強く吸い着けられ、そのためにこの吸込みノズル９の領域においてノズル面３と接触するのが第２のノズル対７の空気流１０によって防がれる。第１のノズル対５の吸込みノズル９の、その直ぐ近くの周囲領域における吸い寄せ作用が空気流１０によってある程度相殺される。さらに、図３は、各吸込みノズル９のノズル開口断面積１５が、それに付属する各吹出しノズル８のノズル開口断面積１５よりも広いことを示している。このことは、各ノズル対５，７，１７，１９について当てはまる。各吸込みノズル９のノズル開口断面積１５は、それに付属する吹出しノズル８のノズル開口断面積１５のおよそ２倍の広さであるのが好ましい。
【００２１】
図４は、空気ボックスとして、第１の吹出し空気室２６と、第２の吹出し空気室２７と、第３の吹出し空気室２８と、第１の吸込み空気室２９と、第２の吸込み空気室３０を備える枚葉紙案内装置２２の構成を示している。図４に示す第１および第２のノズル対５，７の吹出し空気室および吸込み空気室２６から３０と中心軸線２４（図２参照）に関して鏡像対称に、第３および第４のノズル対１７，１９に対しても同様に吹出し空気室と吸込み空気室が配置されている。ノズル面３を形成する１つまたは複数の薄板が、空気ボックスの全ての吹出し空気室および吸込み空気室を覆っている。さらに、図４は、第２の吹出し空気室２７が第１の吹出し空気室２６と第１の吸込み空気室２９の間に配置され、第３の吹出し空気室２８が第１の吸込み空気室２９と第２の吸込み空気室３０の間に配置されているのを示している。第１の吸込み空気室２６には、中心軸線２４上に位置する吹出しノズル２５と、第１のノズル対５の吹出しノズル８が通じている。第２の吹出し空気室２７には、第２のノズル対７の吹出しノズル８が通じている。第３の吹出し空気室２８には、図には示さない吹出しノズルが通じている。第１の吸込み空気室２９には、第１のノズル対５の吸込みノズル９が通じている。第２の吸込み空気室３０には、第２のノズル対７の吸込みノズル９が通じている。
【００２２】
図４と図５に示す実施形態は空気ボックスへの空気供給に関してのみ、以下に説明するように互いに異なっているので、ここまでに述べた図４の説明は、図５にも移し変えて当てはまる。
【００２３】
図４では、第１の通風装置、すなわち第１の送風機３１がその吸込み側で第１の吸込み空気室２９と接続され、吹出し側で第１の吹出し空気室２６と接続されており、その結果、第１の送風機３１は、吹出し空気室２６と吸込み空気室２９の両室および第１のノズル対５の空気流１０と共に、仮想線によって図に模式的に示す、周囲に向かって開いた第１の空気循環３４を生じさせる。第１の送風機３１は空気を第１の吸込み空気室２９から第１の吹出し空気室２６へ送り込み、その結果、前者では負圧、後者では正圧が優性にされる。第２の送風機３２がその吸込み側で第２の吸込み空気室３０と接続され、吹出し側で第２の吹出し空気室２７と接続されており、それによって、第２の空気循環３５が生じさせられる。第２の送風機３２は空気を第２の吸込み空気室３０から第２の吹出し空気室２７へ送り込み、それによって、第２の吸込み空気室３０の吸込みノズル９に合った負圧と、第２の吹出し空気室２７の吹出しノズル８に合った正圧を発生する。第３の吹出し空気室２８には第３の送風機３３が接続されている。
【００２４】
図５では、通風装置、すなわち送風機３６がその吸込み側で第１の吸込み空気室２９と第２の吸込み空気室３０に同時に接続され、吹出し側で第１、第２、および第３の吹出し空気室２６，２７，２８に同時に接続されており、その結果、同一の送風機３６が第１の空気循環３４の生成にも第２の空気循環３５の生成にも関与している。この送風機３６は空気を吸込み空気室２９，３０から吹出し空気室２６，２７，２８へ送り込み、その結果、前者には負圧、後者には正圧が生成される。送風機３６の吸込み側に接続された絞り弁３７を、例えば、図には示さない電子制御装置に記憶された特性曲線に従って、空気ボックスへの空気供給を制御するように調整することができる。この際、絞り弁３７は、閉じた制御系の調節部を形成することもできる。
【００２５】
図６ａと図６ｂは、三日月形に形成されたノズル開口部３８を備える、いわゆるベンチュリノズルとしての、吹出しノズル８の考えられる実施形態を示している。ノズル開口部３８の下側の縁部を起点として、溝３９が、図６ａの側断面図に示すように、ノズル面３まで上り坂になっており、この溝３９は、図６ｂの、ノズル面３の平面図に示すように、広がっている。ノズル開口部３８の、溝３９とは反対側には、自由噴射ノズル４０がノズル面３の穴として設けられている。自由噴射ノズル４０は吹出しノズル８の近傍に配置されており、図２から図５では図を分かりやすくするために図示していない。自由噴射ノズル４０は、吹出しノズル８から空気流１０が吐き出される時にその背後に生じる真空部に空気を補充する、ノズル面３に対して実質的に垂直方向の吹出し空気噴流４１を生成する。この際、自由噴射ノズル４０は、いわゆる補充吹出しノズル（zuspuhlduse）として吹出しノズル８をサポートする。
【００２６】
図７ａ（側断面図）と図７ｂ（平面図）は、吹出しノズル８の、考えられる他の実施形態を示しており、この場合、吹出しノズル８は、各吹出し空気室２６または２７に入り込むように曲がった舌状部４２を有しており、舌状部４２の働きは、図６ａおよび図６ｂの溝３９の働きと同様、空気流１０にその方向を設定し、空気流１０がノズル面３に当り、ノズル面３と平行に流れるようにすることである。
【００２７】
図８ａ（側断面図）と図８ｂ（平面図）では、吹出しノズル８は、さらに他の実施形態において、斜めの穴として構成されている。
【図面の簡単な説明】
【００２８】
【図１】枚葉紙案内装置を備える印刷機を示す図である。
【図２】図１の枚葉紙案内装置のノズル面を示す図である。
【図３】図２のノズル面の吹出しノズルと吸込みノズルを示す図である。
【図４】図３の吹出しノズルと吸込みノズルへの空気供給の例を示す図である。
【図５】図３の吹出しノズルと吸込みノズルへの空気供給の他の例を示す図である。
【図６ａ】図３の吹出しノズルの構成例を示す図である。
【図６ｂ】図３の吹出しノズルの構成例を示す図である。
【図７ａ】図３の吹出しノズルの他の構成例を示す図である。
【図７ｂ】図３の吹出しノズルの他の構成例を示す図である。
【図８ａ】図３の吹出しノズルのさらに他の構成例を示す図である。
【図８ｂ】図３の吹出しノズルのさらに他の構成例を示す図である。
【符号の説明】
【００２９】
１    被印刷体枚葉紙
２    エアクッション
３    ノズル面
４，６，１６，１８    列
５，７，１７，１９    ノズル対
８，２５    吹出しノズル
９    吸込みノズル
１０    空気流
１１    搬送方向
１２    側辺
１５    ノズル開口断面積
２０    印刷機
２１    枚葉紙搬送胴
２２    枚葉紙案内装置
２３    圧胴
２４    中心軸線
２６，２７，２８    吹出し空気室
２９，３０    吸込み空気室
３１，３２，３３，３６    送風機
３４，３５    空気循環
３７    絞り弁
３８    ノズル開口部
３９    溝
４０    自由噴射ノズル
４１    吹出し空気噴流
４２    舌状部
【図１】
2006218866.tif 000003
【図２】
2006218866.tif 000004
【図３】
2006218866.tif 000005
【図４】
2006218866.tif 000006
【図５】
2006218866.tif 000007
【図６ａ】
2006218866.tif 000008
【図６ｂ】
2006218866.tif 000009
【図７ａ】
2006218866.tif 000010
【図７ｂ】
2006218866.tif 000011
【図８ａ】
2006218866.tif 000012
【図８ｂ】
2006218866.tif 000013